(57)【要約】【課題】検査対象の画像の変形を補正して、検査対象を高精度に検査する検査装置等を提供する。【解決手段】搬送されてきたシート状の検査対象Ｐを撮像した第１画像データを取得し（Ｓ３）、搬送されている検査対象に、搬送に対応する所定の基準面に対する斜め方向から所定形状のレーザ光が照射され（Ｓ２）、レーザ光が照射された検査対象を撮像した第２画像データを取得し（Ｓ４）、第２画像データにおいてレーザ光が照射された部分（Ｌ）から、基準面からの変形量を算出し（Ｓ５）、基準面からの変形量に応じて、第１画像データを補正し（Ｓ６）、補正された画像データに基づき、検査対象を検査する（Ｓ７）。【選択図】図３
2014182012.tif 000002
【特許請求の範囲】
【請求項１】
搬送されてきたシート状の検査対象を撮像した第１画像データを取得する第１画像データ取得手段と、
搬送されている前記検査対象に、当該搬送に対応する所定の基準面に対する斜め方向から所定形状のレーザ光が照射され、当該レーザ光が照射された前記検査対象を撮像した第２画像データを取得する第２画像データ取得手段と、
前記第２画像データにおいてレーザ光が照射された部分から、前記基準面からの変形量を算出する変形量算出手段と、
前記基準面からの変形量に応じて、前記第１画像データを補正する補正手段と、
前記補正された画像データに基づき、前記検査対象を検査する検査手段と、
を備えたことを特徴とする検査装置。
【請求項２】
請求項１に記載の検査装置において、
前記所定形状が、前記搬送の搬送方向と交わる方向の線状の線であることを特徴とする検査装置。
【請求項３】
請求項１または請求項２に記載の検査装置において、
前記第１画像データ取得手段が、搬送されている前記検査対象を、前記搬送方向と交わる方向で線状に撮像した第１画像データを取得することを特徴とする検査装置。
【請求項４】
請求項３に記載の検査装置において、
前記線状に撮像する位置の前記搬送方向における前または後に、当該線状に撮像する部分と並ぶ位置に前記レーザ光が照射されることを特徴とする検査装置。
【請求項５】
請求項１から４のいずれか１項に記載の検査装置において、
前記補正手段が、前記基準面からの変形量に対して、数学モデルを適用して、前記第１画像データを補正することを特徴とする検査装置。
【請求項６】
請求項５に記載の検査装置において、
前記補正手段が、前記基準面からの変形量に対して、前記検査対象の形状を拘束条件とする数学モデルを適用して、前記第１画像データを補正することを特徴とする検査装置。
【請求項７】
請求項１から３のいずれか１項に記載の検査装置において、
前記第１画像データを取得するための第１撮像手段と、
前記第２画像データを取得するための第２撮像手段と、
を更に備え、
前記第１撮像手段の撮像方向と第２撮像手段の撮像方向とが平行であることを特徴とする検査装置。
【請求項８】
搬送されてきたシート状の検査対象を検査するための検査装置の検査方法において、
前記検査対象を撮像した第１画像データを取得する第１画像データ取得ステップと、
搬送されている前記検査対象に、当該搬送に対応する所定の基準面に対する斜め方向から所定形状のレーザ光が照射され、当該レーザ光が照射された前記検査対象を撮像した第２画像データを取得する第２画像データ取得ステップと、
前記第２画像データにおいてレーザ光が照射された部分から、前記基準面からの変形量を算出する変形量算出ステップと、
前記基準面からの変形量に応じて、前記第１画像データを補正する補正ステップと、
前記補正された画像データに基づき、前記検査対象を検査する検査ステップと、
を含むことを特徴とする検査方法。
【請求項９】
コンピュータを、
搬送されてきたシート状の検査対象を撮像した第１画像データを取得する第１画像データ取得手段、
搬送されている前記検査対象に、当該搬送に対応する所定の基準面に対する斜め方向から所定形状のレーザ光が照射され、当該レーザ光が照射された前記検査対象を撮像した第２画像データを取得する第２画像データ取得手段、
前記第２画像データにおいてレーザ光が照射された部分から、前記基準面からの変形量を算出する変形量算出手段、
前記基準面からの変形量に応じて、前記第１画像データを補正する補正手段、および、
前記補正された画像データに基づき、前記検査対象を検査する検査手段として機能させることを特徴とする検査装置用のプログラム。
【発明の詳細な説明】
【技術分野】
【０００１】
本発明は、シート状の検査対象を検査する検査装置、検査方法、および、検査装置用のプログラムに関する。
【背景技術】
【０００２】
印刷物等の検査対象の表面の状態を検査するために、検査対象を撮像した画像に基づき、欠陥等の有無の検査が行われている。例えば、特許文献１には、印刷物表面を撮像し、画像データ全体を細分化し、細分化した画像（セル）毎に独立して位置補正処理して、位置補正処理された各セルの情報をもとに、基準画像と検査画像の位置ずれを補正する印刷物の検査方法が開示されている。
【先行技術文献】
【特許文献】
【０００３】
【特許文献１】特開２０１１−１１２５９３号公報
【発明の概要】
【発明が解決しようとする課題】
【０００４】
しかしながら、従来の技術では、搬送時の伸縮および蛇行によるずれを補正しているのみなので、搬送されてくるシート状の検査対象が変形して、搬送面からの変位を生じた場合、この変形を検出し補正することが難しかった。特に、検査対象が枚葉の場合、検査対象において搬送方向の端が、跳ね上がり、カメラに近づくため、変形が大きくなるという問題があった。
【０００５】
そこで、本発明は上記の問題点等に鑑みて為されたもので、その課題の一例は、検査対象の画像の変形を補正して、検査対象を高精度に検査する検査装置等を提供することを目的とする。
【課題を解決するための手段】
【０００６】
上記の課題を解決するために、請求項１に記載の発明は、搬送されてきたシート状の検査対象を撮像した第１画像データを取得する第１画像データ取得手段と、搬送されている前記検査対象に、当該搬送に対応する所定の基準面に対する斜め方向から所定形状のレーザ光が照射され、当該レーザ光が照射された前記検査対象を撮像した第２画像データを取得する第２画像データ取得手段と、前記第２画像データにおいてレーザ光が照射された部分から、前記基準面からの変形量を算出する変形量算出手段と、前記基準面からの変形量に応じて、前記第１画像データを補正する補正手段と、前記補正された画像データに基づき、前記検査対象を検査する検査手段と、を備えたことを特徴とする。
【０００７】
また、請求項２に記載の発明は、請求項１に記載の検査装置において、前記所定形状が、前記搬送の搬送方向と交わる方向の線状の線であることを特徴とする。
【０００８】
また、請求項３に記載の発明は、請求項１または請求項２に記載の検査装置において、前記第１画像データ取得手段が、搬送されている前記検査対象を、前記搬送方向と交わる方向で線状に撮像した第１画像データを取得することを特徴とする。
【０００９】
また、請求項４に記載の発明は、請求項３に記載の検査装置において、前記線状に撮像する位置の前記搬送方向における前または後に、当該線状に撮像する部分と並ぶ位置に前記レーザ光が照射されることを特徴とする。
【００１０】
また、請求項５に記載の発明は、請求項１から４のいずれか１項に記載の検査装置において、前記補正手段が、前記基準面からの変形量に対して、数学モデルを適用して、前記第１画像データを補正することを特徴とする。
【００１１】
また、請求項６に記載の発明は、請求項５に記載の検査装置において、前記補正手段が、前記基準面からの変形量に対して、前記検査対象の形状を拘束条件とする数学モデルを適用して、前記第１画像データを補正することを特徴とする。
【００１２】
また、請求項７に記載の発明は、請求項１から３のいずれか１項に記載の検査装置において、前記第１画像データを取得するための第１撮像手段と、前記第２画像データを取得するための第２撮像手段と、を更に備え、前記第１撮像手段の撮像方向と第２撮像手段の撮像方向とが平行であることを特徴とする。
【００１３】
また、請求項８に記載の発明は、搬送されてきたシート状の検査対象を検査するための検査装置の検査方法において、前記検査対象を撮像した第１画像データを取得する第１画像データ取得ステップと、搬送されている前記検査対象に、当該搬送に対応する所定の基準面に対する斜め方向から所定形状のレーザ光が照射され、当該レーザ光が照射された前記検査対象を撮像した第２画像データを取得する第２画像データ取得ステップと、前記第２画像データにおいてレーザ光が照射された部分から、前記基準面からの変形量を算出する変形量算出ステップと、前記基準面からの変形量に応じて、前記第１画像データを補正する補正ステップと、前記補正された画像データに基づき、前記検査対象を検査する検査ステップと、を含むことを特徴とする。
【００１４】
また、請求項９に記載の発明は、コンピュータを、搬送されてきたシート状の検査対象を撮像した第１画像データを取得する第１画像データ取得手段、搬送されている前記検査対象に、当該搬送に対応する所定の基準面に対する斜め方向から所定形状のレーザ光が照射され、当該レーザ光が照射された前記検査対象を撮像した第２画像データを取得する第２画像データ取得手段、前記第２画像データにおいてレーザ光が照射された部分から、前記基準面からの変形量を算出する変形量算出手段、前記基準面からの変形量に応じて、前記第１画像データを補正する補正手段、および、前記補正された画像データに基づき、前記検査対象を検査する検査手段として機能させることを特徴とする。
【発明の効果】
【００１５】
本発明によれば、搬送されている検査対象において、搬送に対応する所定の基準面に対する斜め方向からレーザ光が照射された部分から、基準面からの変形量を算出し、基準面からの変形量に応じて、第１画像データを補正することにより搬送されてきたシート状の検査対象が変形して、基準面からの変位を生じた場合において、検査対象の画像の変形を補正して、検査対象を高精度に検査することができる。
【図面の簡単な説明】
【００１６】
【図１】本発明の実施形態に係る検査装置の概要構成例を示す模式図である。
【図２】図１の検査制御装置の概要構成の一例を示すブロック図である。
【図３】図１の検査装置の動作例を示すフローチャートである。
【図４】図１の検査対象の変形がある場合の一例を示す模式図である。
【図５】図１の検査対象の変形がある場合の変形例を示す模式図である。
【図６】ＸＺ面における検査対象と撮像装置との関係の一例を示す模式図である。
【図７】サンプル点および補間を示す模式図である。
【図８】変形の補正処理の一例を示す模式図である。
【図９】オフセット印刷における検査対象の検査の一例を示す模式図である。
【図１０】撮像された検査対象の一例を示す模式図である。
【発明を実施するための形態】
【００１７】
以下、図面を参照して本発明の実施形態について説明する。なお、以下に説明する実施の形態は、検査装置に対して本発明を適用した場合の実施形態である。
【００１８】
［１．検査装置の構成および機能概要］
（１．１  検査装置の構成および機能）
まず、本発明の一実施形態に係る検査装置の構成および概要機能について、図１を用いて説明する。
【００１９】
図１は、本実施形態に係る検査装置１の概要構成例を示す模式図である。
【００２０】
図１に示すように、検査装置１は、検査装置１を制御する検査制御装置１０と、紙等のシート状の検査対象Ｐにおいて１ライン分を撮像する撮像装置２０と、検査対象Ｐにおける所定のエリアを撮像する撮像装置３０と、検査対象Ｐにレーザ光を照射するレーザ照射装置４０と、検査対象Ｐを照明する照明装置５０と、検査対象Ｐを搬送する搬送装置６０と、を備えている。
【００２１】
検査制御装置１０と、撮像装置２０と、撮像装置３０等とは、データを送受信したり、指令を送信したりするためのケーブルにより接続されていて、撮像装置２０、撮像装置３０等は、検査制御装置１０により制御される。
【００２２】
検査制御装置１０は、コントローラ（例えば、プログラマブルロジックコントローラ）として、撮像装置２０による撮像や、搬送装置６０による検査対象Ｐの搬送を制御する。また、検査制御装置１０は、撮像装置２０および撮像装置３０からの画像データを画像処理する。なお、シート状の検査対象Ｐは、紙やプラスチック製のシートや、紙が綴じられた書籍が、ページめくりされている検査対象でもよい。
【００２３】
撮像装置２０（第１撮像手段の一例）は、ＣＣＤ（Charge Coupled Device）イメージセンサやＣＭＯＳ（Complementary Metal Oxide Semiconductor）イメージセンサ等の撮像素子を有するデジタルカメラである。また、撮像装置２０は、１ライン分のイメージセンサが並んだラインスキャンカメラである。撮像装置２０は、搬送装置６０により搬送されている検査対象Ｐを、１ライン毎に順次撮像する。なお、図１に示すように、撮像装置２０の撮像のライン（撮像ライン）Ｉの方向は、搬送方向（ｙ方向）に対して、直角のｘ方向とする。撮像ラインＩは、線状に撮像する位置の一例である。なお、撮像ラインＩの方向は、搬送方向（ｙ方向）に対して、斜めにでもよい。
【００２４】
また、図１に示すように、撮像装置２０は、搬送されてくる検査対象Ｐを上方から撮像する。撮像装置２０の撮像方向は、搬送されてくる検査対象Ｐの搬送面（ｘ-ｙ面）に対して垂直である。この搬送面が変位を求める基準面となる。なお、撮像装置２０の撮像方向は、搬送面の垂直方向（ｚ方向）に対して斜めでもよい。この場合、検査対象Ｐを検査する際、撮像方向を補正する画像補正をしてもよい。
【００２５】
撮像装置３０（第２撮像手段の一例）は、ＣＣＤイメージセンサやＣＭＯＳイメージセンサ等の撮像素子を有するデジタルカメラである。また、撮像装置３０は、２次元にイメージセンサが並んだエリアカメラである。撮像装置３０は、検査対象Ｐにおいて、レーザ照射装置４０によりレーザが照射された部分を撮像する。
【００２６】
また、図１に示すように、撮像装置３０は、レーザ光が照射されている部分を上方から撮像する。撮像装置３０の撮像方向は、搬送されてくる検査対象Ｐの搬送面（基準面の一例）に対して垂直である。従って、撮像装置２０の撮像方向と撮像装置３０の撮像方向とが平行である。
【００２７】
また、撮像装置３０は、レーザ光が照射されている部分が撮像しやすい位置に設置される。例えば、図１に示すように、撮像装置２０が撮像している箇所から、搬送方向（ｙ方向）の後にレーザ光が照射されている場合、撮像装置３０は、撮像装置２０から搬送方向の後に設置される。
【００２８】
レーザ照射装置４０は、線状（所定形状の一例）のレーザ光を、検査対象Ｐに照射する。レーザ光を照射する位置（照射ライン）Ｌは、撮像装置２０が撮像する撮像位置（撮像ラインＩ）から、搬送方向の後（先）に、撮像ラインＩに平行になるように設定される。照射ラインＬは、搬送方向（ｙ方向）に対して、直角の方向（ｘ方向）の線（搬送方向と交わる方向の線状の線の一例）である。照射ラインＬが、検査対象Ｐの変形の変位を計測する位置（変位計測箇所）である。なお、照射ラインＬは、撮像ラインＩから搬送方向の前でもよい。
【００２９】
このように、照射ラインＬは、前記線状に撮像する位置の前記搬送方向における前または後に、当該線状に撮像する部分（例えば、撮像ラインＩ）と並ぶ位置に前記レーザ光が照射される一例である。
【００３０】
レーザ照射装置４０は、撮像装置２０、または、搬送に対応する所定の基準面の一例である搬送面（ｘ−ｙ面）に対する斜め方向から、照射角θでレーザ光を照射する。また、撮像装置２０が撮像する撮像ラインＩに、レーザ光が照射されないように、レーザ照射装置４０の照射の向きが設定される。
【００３１】
照明装置５０は、蛍光灯、ＬＥＤ（Light Emitting Diode）素子等の発光体である。照明装置５０は、搬送面（基準面の一例）に対する斜め方向から検査対象Ｐを照らす。
【００３２】
搬送装置６０は、検査対象Ｐを搬送するローラを有する。また、搬送装置６０は、検査対象Ｐの搬送位置を検出するエンコーダ（図示せず）を有する。
【００３３】
（１．２  検査制御装置１０の構成および機能）
次に、検査制御装置１０の構成および機能について、図２を用いて説明する。
図２は、検査制御装置１０の概要構成の一例を示すブロック図である。
【００３４】
図２に示すように、検査制御装置１０は、例えば、パーソナルコンピュータやプログラマブルロジックコントローラ等であり、記憶部１１と、表示部１２と、操作部１３と、入出力インターフェース部１４と、システム制御部１５とを備えている。そして、システム制御部１５と入出力インターフェース部１４とは、システムバス１６を介して接続されている。また、入出力インターフェース部１４は、撮像装置２０と、撮像装置３０と、レーザ照射装置４０と、照明装置５０と、搬送装置６０とに接続されている。
【００３５】
記憶部１１は、例えば、ハードディスクドライブ等からなり、オペレーティングシステム、制御用のプログラム、変形量算出用のプログラム、検査用のプログラム等を記憶する。また、記憶部１１には、検査に必要な基準画像が記憶されている。
【００３６】
表示部１２は、例えば、液晶表示素子または有機ＥＬ素子等によって構成されている。表示部１２には、検査装置１を制御するための入力情報や検査結果等が表示される。
【００３７】
操作部１３は、例えば、キーボードおよびマウス等によって構成されている。ユーザは、操作部１３を使用して、検査装置１を制御するための入力情報を入力する。
【００３８】
入出力インターフェース部１４は、記憶部１１等とシステム制御部１５とのインターフェースである。
【００３９】
システム制御部１５は、例えば、ＣＰＵ１５ａと、ＲＯＭ１５ｂと、ＲＡＭ１５ｃとを有する。システム制御部１５は、ＣＰＵ１５ａが、ＲＯＭ１５ｂや、ＲＡＭ１５ｃや、記憶部１１に記憶された各種プログラムを読み出して実行する。例えば、システム制御部１５は、変形量算出のプログラムを実行し、画像の補正を行う。なお、これらのプログラムを記憶した記録媒体等をシステム制御部１５が読み出し実行してもよい。
【００４０】
［２．検査装置の動作］
次に、本発明の１実施形態に係る検査装置の動作について図３から図８を用いて説明する。
【００４１】
図３は、検査装置１の動作例を示すフローチャートである。図４は、検査対象の変形がある場合の一例を示す模式図である。図５は、検査対象の変形がある場合の変形例を示す模式図である。図６は、ＸＺ面における検査対象と撮像装置との関係の一例を示す模式図である。図７は、サンプル点および補間を示す模式図である。図８は、変形の補正処理の一例を示す模式図である。
【００４２】
図３に示すように、検査装置１は、検査対象を搬送する（ステップＳ１）。具体的には、図１に示すように、検査制御装置１０の指令に従って搬送装置６０により、検査対象Ｐは、撮像装置２０および撮像装置３０の撮像領域に向けて搬送されてくる。
【００４３】
次に、検査装置１は、レーザ光を照射する（ステップＳ２）。具体的には、検査制御装置１０の指令に従ってレーザ照射装置４０が、レーザ光を照射する。図１に示すように、搬送方向（ｙ方向）に直角の直線の照射ラインＬを生じるレーザ光が照射される。また、検査制御装置１０の指令に従って照明装置５０は、照明を点灯する。なお、検査対象Ｐを搬送する前に、レーザ照射装置４０がレーザ光を照射したり、照明装置５０が点灯したりしてもよい。
【００４４】
次に、検査装置１は、検査対象の第１画像データを取得する（ステップＳ３）。具体的には、検査制御装置１０の指令に従って撮像装置２０（ラインスキャンカメラ）が、撮像ラインＩ上を搬送されている検査対象Ｐを、１ライン毎に撮像する。撮像装置２０が撮像した画像データ（第１画像データ）を、検査制御装置１０が取得する。なお、検査制御装置１０は、所定の搬送速度（スキャン速度）と所定の時間間隔とにより決まる所定の搬送位置で撮像された、検査対象の第１画像データを取得する。第１画像データは、ｘ方向に対してある画素値を有する画像データとなる。
【００４５】
このように、検査装置１は、搬送されてきたシート状の検査対象を撮像した第１画像データを取得する第１画像データ取得手段の一例として機能する。また、検査装置１は、搬送されている前記検査対象を、前記搬送方向と交わる方向で線状に撮像した第１画像データを取得する第１画像データ取得手段の一例として機能する。
【００４６】
検査装置１は、第２画像データを取得する（ステップＳ４）。具体的には、検査制御装置１０の指令に従って撮像装置３０（エリアカメラ）が、搬送されていて、レーザ光が照射された検査対象Ｐを撮像する。レーザ光が照射された検査対象Ｐを撮像した第２画像データを検査制御装置１０が取得する。第２画像データの中の画像には、照射ラインＬが含まれている。なお、検査制御装置１０は、所定の搬送速度（スキャン速度）と所定の時間間隔とにより決まる所定の搬送位置で撮像された、検査対象の第２画像データを取得する。
【００４７】
このように、検査装置１は、搬送されている前記検査対象に、当該搬送に対応する所定の基準面に対する斜め方向から所定形状のレーザ光が照射され、当該レーザ光が照射された前記検査対象を撮像した第２画像データを取得する第２画像データ取得手段の一例として機能する。
【００４８】
図４に示すように、検査対象Ｐがｘ方向に波を打って変形している場合、この変形に応じて、照射ラインＬが曲がる。検査対象Ｐに変形が無い状態を基準とすると、基準より凹の部分（−ｚ方向に凹の部分）は、＋ｙ方向に照射ラインがずれ、基準より凸の部分（＋ｚ方向に凹の部分）は−ｙ方向に照射ラインがずれて、照射ラインＬが曲がる。
【００４９】
また、図５に示すように、検査対象Ｐがｙ方向に波を打って変形している場合、この変形に応じて、照射ラインＬ全体がｙ方向に移動する。搬送されている検査対象Ｐにおいて、照射される部分が基準より−ｚ方向であると、＋ｙ方向に照射ラインＬがずれ、照射される部分が基準より＋ｚ方向であると、−ｙ方向に照射ラインＬがずれる。
【００５０】
次に、検査装置１は、第２画像データから変形量を算出する（ステップＳ５）。まず、検査制御装置１０が、第２画像データより、照射ラインＬを抽出する。例えば、検査制御装置１０が、第２画像データにおいて、輝度が所定値以上の画素を抽出することにより、照射ラインＬを抽出する。
【００５１】
そして、検査制御装置１０が、照射ラインＬ上の各点において、基準ラインからのｙ方向の変位を算出する。検査制御装置１０が、ｙ方向の変位と照射角θとから、ｘに対するｚ方向の変位（変形量）を算出し、図６に示すように、変位形状を求める。すなわち、エリアカメラである撮像装置３０とレーザ光とを用いて三角測量法により、検査対象Ｐをｙ方向に搬送させながら、検査対象Ｐの面の形状を計測していく。
【００５２】
このように、検査装置１は、前記第１画像データおよび第２画像データから、前記搬送に対応する所定の基準面からの変形量を算出する変形量算出手段の一例として機能する。
【００５３】
次に、検査装置１は、第１画像データを補正する（ステップＳ６）。図６および図７に示すように、撮像装置２０の中心から検査対象Ｐの面に対して垂線を下ろした位置を原点（ｘ＝０）とし、検査制御装置１０が、算出した変位形状を任意サンプリング毎に離散点を求める。検査制御装置１０が、求めた離散点に基づき、スプライン補間等により補間を行い、検査対象Ｐの断面形状の関数（ｚ＝ｆ（ｘ））を求める。なお、検査対象Ｐの所定の搬送位置（検査対象Ｐ上におけるｙ方向の所定位置）において、検査対象Ｐの断面形状の関数（ｚ＝ｆ（ｘ））が求められている。
【００５４】
図８に示すように、断面形状の関数（ｚ＝ｆ（ｘ））を直線に伸ばすため、検査対象Ｐが幅ｌであるという拘束条件の下、断面形状の関数（ｚ＝ｆ（ｘ））に拘束をかけ、最小自乗法を解くことにより、検査制御装置１０が、検査対象Ｐの面の形状をモデル化(例えば、多項式フィッティング)して直線を求める。なお、ｘ座標のａが−ｌ／２、ｘ座標のｂがｌ／２になるように、検査対象Ｐの面の形状に対応した直線がモデル化されている。さらに、直線全体をｚ方向にオフセット調節して、直線がｚ＝０になるようにする。なお、検査制御装置１０が、これらの数学モデルによるモデル化を、検査対象Ｐ上のｙ方向の各位置（搬送位置）に応じて行う。
【００５５】
これによりサンプリングした各点と、これら各点に対応する求めた直線におけるサンプル点とから、検査制御装置１０が、所定の搬送位置において、ｘ方向における各点の補正量を算出する。
【００５６】
検査制御装置１０が、第１画像データに対して、算出した補正量に基づき、ｘ方向に補正を行う。検査制御装置１０が、各搬送位置において、補正を行う。このように、検査対象Ｐの面形状に基づき、平面である場合の画像へ、第１画像データの画像が平面展開され補正される。
【００５７】
なお、撮像ラインＩと、検査対象Ｐに変形が無い場合（基準）の照射ラインＬとが、近い場合、照射ラインＬが撮像ラインＩにおける検査対象Ｐの変形を比較的正確に示すので、検査制御装置１０が、検査対象Ｐを搬送させながら、逐次、撮像ラインＩ毎に補正を行ってもよい。
【００５８】
一方、撮像ラインＩと基準の照射ラインＬとがある程度離れていても、検査対象Ｐの搬送速度と、撮像ラインＩと基準の照射ラインＬとの距離とより、検査制御装置１０が、第２画像データと、第１画像データとを合わせてもよい。この場合、検査制御装置１０が、第２画像データと、第１画像データとを、記憶部１１またはＲＡＭ１５ｃに記憶しておき、検査対象Ｐの搬送速度と、撮像ラインＩと基準の照射ラインＬとの距離とより、第２画像データと、第１画像データとを同期させ、補正を行う。
【００５９】
このように、検査装置１は、前記基準面からの変形量に応じて、前記第１画像データまたは第２画像データを補正する補正手段の一例として機能する。また、検査装置１は、前記基準面からの変形量に対して、数学モデルを適用して、前記第１画像データを補正する補正手段の一例として機能する。また、検査装置１は、前記基準面からの変形量に対して、前記検査対象の形状を拘束条件とする数学モデルを適用して、前記第１画像データを補正する補正手段の一例として機能する。
【００６０】
次に、検査装置１は、検査対象を検査する（ステップＳ７）。具体的には、検査制御装置１０が、基準画像と補正された画像とを比較する。基準画像との差異が、所定以上の場合、インキ汚れやインキ抜け等の不良と判定する。例えば、基準画像および補正された画像における、特徴量同士を比較して、検査を行う。
【００６１】
このように、検査装置１は、前記補正された画像データに基づき、前記検査対象を検査する検査手段の一例として機能する。
【００６２】
以上、本実施形態によれば、搬送されている検査対象Ｐにおいて、搬送に対応する基準面に対する斜め方向からレーザ光が照射された部分（照射ラインＬ）から、基準面からの変形量を算出し、基準面からの変形量に応じて、第１画像データを補正することにより、搬送されてきたシート状の検査対象Ｐが変形して、基準面からの変位を生じた場合において、検査対象Ｐの画像の変形を補正して、検査対象Ｐを高精度に検査することができる。基準面に対する斜め方向からレーザ光を照射することにより、基準面からの変位、すなわち、高さ方向の情報が得られ補正ができる。
【００６３】
また、所定形状が、搬送方向（ｙ方向）と交わる方向の線状の線（照射ラインＬ）である場合、直線であるので、基準面からの変位が算出しやすく、計算が速くなる。
【００６４】
また、搬送されている検査対象Ｐを、搬送方向と交わる方向で線状に撮像した第１画像データを取得する場合、搬送に従い線状に画像を高精度に取り込むことができる。
【００６５】
線状に撮像する位置の搬送方向における前または後に、当該線状に撮像する部分（撮像ラインＩ）と並ぶ位置（照射ラインＬ）にレーザ光が照射される場合、搬送させ、かつ、レーザを照射させながら、第１画像データを取得できる。
【００６６】
また、基準面からの変形量に対して、数学モデルを適用して、第１画像データを補正する場合、より精度良く補正ができ、高精度に検査ができる。
【００６７】
また、基準面からの変形量に対して、検査対象Ｐの形状を拘束条件とする数学モデルを適用して、第１画像データを補正する場合、より精度良く補正ができ、高精度に検査ができる。
【００６８】
撮像装置２０の撮像方向と撮像装置３０の撮像方向とが平行である場合、基準面からの変形量を容易に求めることができる。
【００６９】
次に、本実施形態の変形例について、図９および図１０を用いて説明する。
図９は、オフセット印刷における検査対象の検査の一例を示す模式図である。図１０は、撮像された検査対象の一例を示す模式図である。
【００７０】
図９に示すように、オフセット枚葉印刷機７０は、刷版が装着された版胴７１と、インキが転写されるブランケット胴７２と、枚葉紙の検査対象Ｐをブランケット胴７２に押しつける圧胴７３と、印刷された検査対象Ｐを排出ユニットに送る中間胴７４、７５と、を備える。圧胴７３が、搬送装置６０の機能の一部を担っている。
【００７１】
撮像装置２０および撮像装置３０は、圧胴７３上に現れる検査対象Ｐの印刷面を撮像する。レーザ照射装置４０は、基準面に対する斜め方向から、角度θで、レーザ光を圧胴７３上の検査対象Ｐに照射する。撮像装置３０は、撮像装置２０よりｙ方向寄りに設置される。
【００７２】
搬送方向ｙは、圧胴７３上の撮像ラインの位置における接線方向である。搬送に対応する基準面は、圧胴７３の面である。特に、基準面は、圧胴７３上の撮像ラインの位置で、圧胴７３に接する平面である。撮像方向は、ｚ方向（−ｚ方向）で、圧胴７３の回転軸に向かう。照射方向は、ｚ軸に対して、角度θである。圧胴７３の回転軸方向がｘ方向である。
【００７３】
印刷された検査対象Ｐは、ブランケット胴７２と圧胴７３との間から送り出される。検査対象Ｐの終端にくると、圧胴７３から検査対象Ｐが跳ね上がる。そのため、検査対象Ｐの終端部分が撮像装置２０に近づくため、図１０に示すような画像が撮像される。
【００７４】
しかし、ステップＳ２からステップＳ６の処理により、画像が補正されて矩形に戻すことができる。そのため、撮像する際、空気圧等により検査対象Ｐを圧胴７３の面に押さえておく必要がない。
【００７５】
なお、検査対象が搬送される代わりに、撮像装置２０および撮像装置３０の撮像方向が検査対象を、スキャンするように変化してもよい。検査対象の面を撮像ラインＩが移動して行く。
【００７６】
また、検査対象は、印刷物以外に、シート状の電池等でもよい。
【００７７】
また、検査対象として、紙が綴じられた書籍の場合、撮像方向が変化して、検査対象の面を撮像ラインＩが移動して撮像する。この場合、基準面として、開かれた書籍の背の部分、開かれた書籍の開いている側の面等が挙げられる。
【００７８】
また、照射ラインＬは、搬送方向（ｙ方向）に対して、直角の方向（ｘ方向）の線に限らず、搬送方向と交わる方向の線状の線の一例として、ｘ方向から傾いてもよい。
【００７９】
また、所定形状のレーザ光の一例として、照射ラインＬは、直線に限らず、曲線でもよい。さらに、所定形状のレーザ光の一例として、円形、多角形等でもよい。検査制御装置１０は、直線、曲線、円形、多角形等を基準形状として、検査対象Ｐの変形によるｙ方向の変位を求め、基準面からの変位を求める。
【符号の説明】
【００８０】
１：検査装置
１０：検査制御装置
２０：撮像装置（第１撮像手段）
３０：撮像装置（第２撮像手段）
４０：レーザ照射装置
Ｌ：照射ライン
Ｐ：検査対象
【図１】
2014182012.tif 000003
【図２】
2014182012.tif 000004
【図３】
2014182012.tif 000005
【図４】
2014182012.tif 000006
【図５】
2014182012.tif 000007
【図６】
2014182012.tif 000008
【図７】
2014182012.tif 000009
【図８】
2014182012.tif 000010
【図９】
2014182012.tif 000011
【図１０】
2014182012.tif 000012